(57)【要約】【課題】  携帯できる足矯正装置。【解決手段】  本発明の足矯正装置は、長手方向で伸縮調節される矯正体と、前記矯正体の両端にそれぞれ設けられ、使用者の曲がった足に直接接触し締める加圧体とから構成される。前記矯正体は、左右対称で相互分割される左右の移動体と、前記左右の移動体を相互に繋ぐことで長手方向に移動し、前記左右の移動体に半分ずつ収納され、表面に長手方向にラックが設けられたガイドと、前記ガイドがラックに接触し前記移動体の移動距離を固定する固定手段を備え、前記加圧体は前記左右の移動体の終端にそれぞれ90°の範囲で折り畳み式でヒンジ結合し、折りたたまれる内側には使用者の皮膚への接触を緩衝するクッション部材を備える。【選択図】    図２
2019025313.tif 000002
【特許請求の範囲】
【請求項１】
長手方向で伸縮調節される矯正体(10)と、前記矯正体(10)の両端にそれぞれ備えられ前記矯正体(10)の伸縮作動により使用者の曲がった足を直接的に接触して締める加圧体(20)とからなる足矯正装置において、
前記の矯正体(10)は、
左右対称で相互分割される左右の移動体(30)と、
前記移動体(30)を相互に繋ぐことで長手方向に移動をさせ、前記移動体(30)の収縮状態で前記移動体体(30)にそれぞれ半分ずつ収納され、前記移動体表面に長手方向にラック(41)が形成されたガイド(40)と、
前記移動体(30)の上段にそれぞれ備えられた前記ガイド(40)のラック(41)に引っ掛けて前記移動体(30)の移動距離を拘束する固定手段(50)を備える
ことを特徴とする足矯正装置。
【請求項２】
請求項１において、前記固定手段(50)は、
前記移動体(30)の内部にヒンジ結合し、一端に前記ラック(41)に接触するラッチ突起(52)が形成されたラッチスイッチ(51)と、
前記移動体(30)の上段内側に備えられた前記ラッチスイッチ(51)のラッチ突起(52)を前記ガイド(40)のラック(41)側に係止させる係止バネ(53)と、
前記移動体(30)の表面に露出し、使用者の押す動作により前記ラッチスイッチ(51)の他端を加圧して前記ラッチ突起(52)の係止を解除する解除ボタン(55)
を備えることを特徴とする足矯正装置。
【請求項３】
請求項１において、前記加圧体(20)は、前記移動体(30)の終端にそれぞれ90°の範囲で折り畳み式にヒンジ結合され、折りたたまれる内側には使用者の皮膚への接触を緩衝するクッション部材(21)を備えることを特徴とする足矯正装置。
【請求項４】
請求項１において、前記矯正体(10)の伸縮作動時、前記移動体(30)が前記ガイド(40)から離脱することを防止するために、前記ガイド(40)の底面に長手方向に設けたガイドレール(43)の両端にリミットあご(45)が形成され、前記移動体(30)の下側内面には前記ガイドレール(43)に沿って移動し、前記リミットあご(45)に引っかかる引っかかり突起(31)がさらに形成されたことを特徴とする足矯正装置。
【発明の詳細な説明】
【技術分野】
【０００１】
本発明は、足の矯正装置に関することであり、より具体的には曲がった足を矯正する矯正機能を有し、既存のものに比べてより一層コンパクトで携帯容易かつ簡便に操作でき、いつどこででも容易で手軽に足矯正を遂行できる足矯正装置に関する。
【背景技術】
【０００２】
一般的に、曲がった足(Bow-legs,  Knock-knees)は、Ｏ脚("O"字形足)または内股でよく知られていて、膝間が離れている状態を称する。
【０００３】
この時、曲がった足の類型としては、立ち上がって両側足のくるぶしを付けて両側膝がつかない場合をO型脚、立ち上がって両側足の膝を付けて両側くるぶしがつかない場合をX型脚と区分される。
【０００４】
以下、O型脚およびX型脚など、これらの全部を曲がった足と言う。
【０００５】
このような、曲がった足は、骨盤、股関節、大腿骨が曲げられたことによって、膝関節に無理を与え、退行性関節炎を誘発して脊椎が曲がることになる。人体力学的に曲げられるということは、多くの内科的な疾患と脊椎疾患の原因になる。
【０００６】
したがって、膝頭関節の痛みを訴える患者中、多くに曲がった足が発見される。曲がった足は膝が内側で折れており、膝頭関節の内側と外側の間隔に違いが生じ、膝が体重を均等に受けることができなくなる。さらに、間隔が狭くなったところは摩擦が激しく、痛みが発生する。
【０００７】
また、曲がった足は、美容上の観点で外形的な美しさを追求する現代人にとって、脚線美の喪失または、おかしな歩きなどによる自信喪失になる。美しい脚線美を望む女性たちの場合は、曲がった足に痛みはないとしても相当なコンプレックスとストレスを抱えることになる。
【０００８】
前記のような、曲がった足は、遺伝や人種的な差に関係があり、病気により足が曲がることもある。
【０００９】
しかし、後天的な原因がもっとも大きい影響を及ぼしている。当該後天的な原因としては、幼かった時におむつを間違って着けたり、重量物を背負わされて育てられたりであり、骨盤と股関節、大腿骨の正常な角度が歪んで足が曲がる原因になる。
【００１０】
また、女性は出産後の産後管理を間違えた場合、悪い生活習慣（東洋人では座食生活の普遍化）により股関節が内回転変形され、骨盤と股関節、大腿骨が正常な角度から歪んで曲がった足になるケースがたくさん発生することになる。
【００１１】
したがって、私たちのからだの正常でない変化を直せば曲がった足も自然に正常な足形態に回復できるため、曲がった足の疾患を持っている患者には曲がった足の矯正装置を利用した治療が一般的に行われている医術である。
【００１２】
これに対し、本出願人が提示した特許文献１は、矯正しようとする身体部位に密着する本体(1)と、本体に設置される圧力調節手段(2)、本体両側に左右対称で設置され前記圧力調節手段の回転運動を直線運動に変換する動力伝達手段によって左右の間隔を調節する加圧部材(4)で形成された矯正手段(3)、左右の間隔が調節される前記矯正手段(3)の位置を固定する固定手段(5)で構成されている。これにより、曲がった足を効果的に圧迫し、矯正治療を遂行できるだけでなく、簡素な構造でサイズを小さくし、取り扱いおよび保管が便利で、一人でも手軽に着用できる。また、反復的な使用が容易で、矯正に効果を発揮するものでもある。
【００１３】
一方、前記特許文献１の足の矯正装置を使うユーザーはほとんどが美容に関心がある若い女性であるが、自身の体に当たるように矯正手段を加圧するためには、それだけの力を加えるために調節ハンドルを操作しなければならない。しかし、既存のラックピニオン（rack pinion）ギア方式を持つ加圧構造の場合、ラックに比べてピニオンをより一層大きい力で操作しなければならないので、筋力脆弱者である女性では、調節ハンドルを操作して自身のからだにぴったり加圧力を加えることはできないという問題点がある。
【００１４】
そして、前記矯正装置をハンドバッグ（カバン）またはポーチ（袋）に携帯するにはあまり大きいので、必要に応じていつどこででも着用できる携帯性能が落ちるという問題点もある。
【００１５】
そして、本出願人は既に登録された前記特許文献１の携帯性を確保した上で、より操作が容易な構造に改良することを目的とする。
【先行技術文献】
【特許文献】
【００１６】
【特許文献１】韓国特許第１０-１５５７２２１号
【発明の概要】
【発明が解決しようとする課題】
【００１７】
上記問題点を解決するために、本発明は既存の足矯正機能を全て持ちながら、折り畳み式に矯正手段を構成し、加圧手段の構造を変更して、既存のものに比べてより一層コンパクトで携帯が優れ、簡便に操作でき、いつでもどこででも容易に手軽な足矯正を遂行できる足矯正装置を提供することを目的とする。
【課題を解決するための手段】
【００１８】
上記の目的を達成するために、本発明は、長手向で長さの伸縮調節をする矯正体と、前記矯正体の両端にそれぞれ備え付けられ前記矯正体の伸縮作動により使用者の曲がった足に直接接触して締める加圧体とで構成される足矯正装置において、前記矯正体は、左右対称で相互分割された左右の移動体（以下、単に「移動体」と称す）と、前記移動体を相互に繋ぐことで長手方向に移動をさせながら、前記移動体に半分ずつ収納され、表面の長手方向にラックが設けられたガイドと、前記移動体の上段にそれぞれ設けられ前記ガイドのラックの谷に嵌り込んで前記移動体の移動距離を固定する固定手段とを備えている。
【００１９】
ここで、前記固定手段は前記移動体の内部にヒンジで結合され、一端に前記のラックに接触するラッチ突起のラッチスイッチと、前記移動体の上段内側に設けられた前記ラッチスイッチのラッチ突起を前記ガイドのラック側に係止させる係止バネと、前記移動体の表面にあって使用者が押すことにより、前記ラッチスイッチの他端を加圧し、前記ラッチ突起の係止を解除する解除ボタンを含む。
【００２０】
そして、前記加圧体は、前記移動体の終端にそれぞれ90°の範囲で折り畳めるようヒンジ結合され、その折りたたまれる内側には、使用者の皮膚との接触を緩衝するクッション部材を含む。
【００２１】
最後に、前記矯正体を長手方向に伸張した時、前記ガイドから前記移動体が離脱しないように、前記ガイドの底面に長手方向に設けられたガイドレールの両端部にはリミットあごが形成されている。
【００２２】
そして、前記移動体の下側内面には、前記ガイドレールに沿って移動しリミットあごに引っかかる引っかかり突起がさらに形成されている。
【発明の効果】
【００２３】
上記の通りに構成された本発明の矯正装置を提供することによって、既存の機能的な性能はそのまま維持しながら容易に携帯できいつどこででも使用できる携帯性、誰でも簡単で手軽に操作できる容易性を確保できるという効果がある。
【図面の簡単な説明】
【００２４】
【図１】従来の足矯正装置を表わす構成図。
【図２】本発明の足矯正装置を広げた状態を表わす構成図。
【図３】本発明の足矯正装置をたたんだ状態を表わす構成図。
【図４】本発明の足矯正装置の作動状態での斜視図。
【図５】本発明の足矯正装置の加圧体を開いた状態での断面構成図。
【図６】本発明の足矯正装置の加圧体を閉じた状態での断面構成図。
【図７】本発明の足矯正装置の分離状態を表す底面斜視図。
【発明を実施するための形態】
【００２５】
以下、本発明に関し、同じ技術分野に属する通常の知識を持った者が容易に実施することができるように、添付図面を参照して、実施例を詳細に説明する。
【００２６】
本発明の足矯正装置は図2または図7に図示されたように、長手方向で伸縮調節される矯正体(10)と、前記矯正体(10)の両端にそれぞれ備えられ、前記矯正体(10)の伸縮作動により使用者の曲がった足に直接的に接触し締める加圧体(20)とで構成される。
【００２７】
ここで、前記矯正体(10)は左右対称で相互分割された左右の移動体(30)（以下、「左右の」は省略する）と、前記移動体(30)を相互に繋ぐことで長手方向に移動させながら、前記移動体(30)に半分ずつ収納され、表面の長手方向にラック(41)が形成されたガイド(40)と、前記移動体(30)の上段にそれぞれ備えられた前記ガイド(40)のラック(41)に引っ掛けて前記移動体(30)の移動距離を固定する固定手段(50)を含む構成である。
【００２８】
換言すれば、前記ガイド(40)は矯正体の中に収納され、前記移動体(30)の各収納部(33)に前記ガイド(40)を半々ずつ挿入して左右対称で互いに対向するように一体に構成され、前記ガイド(40)の長手方向に沿って、前記移動体(30)が互いに反対方向に移動することで、前記の矯正体(10)の長さを伸張させることができる。
【００２９】
そして、前記加圧体(20)は前記移動体(30)の終端にそれぞれ90°の範囲で折り畳み式でヒンジ結合されて、折りたたまれる内側には使用者の皮膚への接触を緩衝するためのクッション部材(21)を備えている。
【００３０】
すなわち、前記移動体(30)の各端には回動支持部(35)が形成され、前記回動支持部(35)に対応して前記加圧体(20)の一方の端には回動結合部(23)が形成されている。前記回動支持部(35)に回動結合部(23)がヒンジ結合されて最大90°に広げることが可能であり、使用者が着用する前の‘⊂‘形状になる。
【００３１】
ここで、前記固定手段(50)は前記移動体(30)の内部にヒンジで結合され、一端に前記ラック(41)に接触するラッチ突起(52)を備えたラッチスイッチ(51)と、前記移動体(30)の上段内側に備えられた前記ラッチスイッチ(51)のラッチ突起(52)を前記ガイド(40)のラック(41)側に係止させる係止バネ(53)と、前記移動体(30)の表面に設けられ使用者が押すことにより、前記ラッチスイッチ(51)の他端を加圧して、前記ラッチ突起(52)の係止を解除する解除ボタン(55)を含む。
【００３２】
すなわち、使用者が前記解除ボタン(55)を押すとラッチスイッチ(51)が下がり反対側のラッチ突起(52)がラック(41)から離されて、移動体（３０）の固定が解除される。
【００３３】
この時、前記移動体(30)を長手方向に引きながら間隔を調整する。
【００３４】
そして、前記加圧体(20)を矯正体(10)に対し直角に広げた状態で、使用者の両膝をその間に置いて前記移動体(30)を収縮させれば、前記係止バネ(53)によりラック(41)に接触し、ラッチ突起(52)が‘カッチ‘という音とともに収縮位置に固定される。これにより、前記加圧体(20)が使用者の両脚を強制的に締めることになる。
【００３５】
また、図７には、前記矯正体(10)の伸縮作動時、前記ガイド(40)から前記移動体(30)が離脱するのを防止するために、前記ガイド(40)の底面にガイドレール(43)の長手方向両端の部分にリミットあご(45)が形成されており、前記左右の移動体(30)の下側内面には、前記ガイドレール(43)に沿って移動するときに前記リミットあご(45)に引っかかる引っかかり突起(31)がさらに形成されている。
【００３６】
これは使用者が使用者の腕力で前記移動体(30)を左右に引いて間隔が広がった時、前記のガイド(40)から離脱するのをあらかじめ予防するためのものである。
【００３７】
図５および図６を通じて足矯正装置の作動関係を説明する。
【００３８】
まず、使用者が前記移動体(30)の上部に備えられた解除ボタン(55)を押してラック(41)にラッチ突起(52)がかかったラッチスイッチ(51)の係止を解除した後、前記ガイド(40)に沿って前記移動体(30)を互いに反対方向に広げて矯正体(10)の長さを伸張させる。
【００３９】
そして、前記移動体(30)の各端に折り畳み式でヒンジ結合された加圧体(20)を直角方向に広げて'⊂'字形状とすることで、着用前状態となる。
【００４０】
この時、使用者は両膝をきちんと揃えた状態で両膝の外側にそれぞれ前記加圧体(20)のクッション部材(21)を密着させた後、使用者の両手で前記加圧体(20)を膝側に押し付けて加圧すれば、前記係止バネ(53)によりラック(41)に接触したラッチ突起(52)が谷に嵌り込んで、前記矯正体(10)が収縮した状態で固定され、より一層押して収縮させると、使用者の両膝を締め付け、足を矯正することができる。
【００４１】
反対に、足矯正装置を解除する時は、前記解除ボタン(55)を押して初期状態と同様にラッチスイッチ(51)の係止を解除してから使用者の膝を広げ、締めから抜け出すことになる。
【００４２】
上記のように構成された本装置を提供することによって、既存の機能的な性能はそのまま維持しながら、携帯が容易でいつどこででも使用できる携帯性と、誰でも容易で手軽に操作できる容易性を確保できるという効果がある。
【００４３】
以上、説明した本明細書および請求範囲に使われる用語および単語は、通常的や辞典的な意味で限定された解釈ではなく、本発明者本人の発明を、最善の方法で説明するために用語の概念を適切に定義しながら、原則に立って本発明の技術的思想に符合する意味と概念で解釈されなければならない。
【００４４】
したがって、本明細書に記載された図面および実施例に図示された構成は、本発明の最も望ましい一つの実施例に過ぎず、本発明の技術的思想を全て代弁するのではない。したがって、本出願時点においてこれらを代替できる多様な均等物と変形例がありえることを理解しなければならない。
【符号の説明】
【００４５】
１０・・・矯正体
２０・・・加圧体
２１・・・クッション部材
２３・・・回動結合部
３０・・・左右の移動体
３１・・・引っかかり突起
３３・・・収納部
３５・・・回動支持部
４０・・・ガイド
４１・・・ラック
４３・・・ガイドレール
４５・・・リミットあご
５０・・・固定手段
５１・・・ラッチスイッチ
５２・・・ラッチ突起
５３・・・係止バネ
５５・・・解除ボタン
【図１】
2019025313.tif 000003
【図２】
2019025313.tif 000004
【図３】
2019025313.tif 000005
【図４】
2019025313.tif 000006
【図５】
2019025313.tif 000007
【図６】
2019025313.tif 000008
【図７】
2019025313.tif 000009